(57)【特許請求の範囲】
【請求項１】
プラントから収集した計測信号を表示装置で複数の監視画面により表示するようにしたプラント監視装置において、一の監視画面に表示されている計測信号を選択し、選択した計測信号を表示する他の監視画面を設定する手段と、この手段により選択された計測信号に関する情報と上記他の監視画面の情報を保存するための記録エリアと、上記他の監視画面を表示する時に上記記録エリアに保存された上記計測信号を上記他の監視画面に表示させる手段とを備え、上記計測信号にはそれぞれタグ番号が設定されており、上記一の上記監視画面に表示されている計測信号の上記タグ番号の一覧が表示されているタグ選択ウィンドウから上記タグ番号を選択し、選択した上記タグ番号により上記計測信号に関する情報を検索して上記記録エリアに保存することを特徴とするプラント監視装置。
【請求項２】
上記記録エリアに保存されているために上記他の監視画面に表示される上記計測信号の表示位置を変更し、この変更した表示位置の情報を上記記録エリアに保存する手段を備えることを特徴とする請求項１記載のプラント監視装置。
【請求項３】
上記記録エリアに保存されているために上記他の監視画面に表示される上記計測信号の全部又は一部を抽出して、上記他の監視画面の異なる位置にも表示させ、異なる表示位置の情報を上記記録エリアに保存する手段を備えることを特徴とする請求項１又は請求項２記載のプラント監視装置。
【発明の詳細な説明】
【技術分野】
【０００１】
この発明は、プラント監視装置に関するものであり、特に上下水道設備等のプラントの機器の運転状態を表す信号及び計測信号を図形によって表示する監視画面を有するプラント監視装置に関するものである。
【背景技術】
【０００２】
従来のプラント監視装置においては、機器の運転状態並びに計測値等を示す信号に関する情報、及び画面のレイアウトを予め登録しておき、故障発生時等にその画面を表示させることにより監視を行なうものがあった（特許文献１参照）。
【０００３】
更にはグラフィック画面上のシンボルから、直接シンボルに関する信号をドラッグアンドドロップすることにより制御画面へ追加することにより、新たな制御画面を作成するＣＲＴ監視制御装置があった（特許文献２参照）。
【０００４】
【特許文献１】特開平９−６４３０号公報
【特許文献２】特開２０００−３３９０２３号公報
【発明の開示】
【発明が解決しようとする課題】
【０００５】
上記特許文献１に示されたプラント監視装置においては、ある監視画面に表示している計測信号を別の監視画面においても表示したい場合、画面作成ツール等で画面を改造する必要があり、他の監視画面を表示する装置がない場合には画面改造作業中はプラントの監視が行なえず、また改造作業時間並びにコストがかかるという問題点があった。
【０００６】
又上記特許文献２に示されたＣＲＴ監視制御装置においては、あくまで同一監視画面上における作業であり、即ち同一の監視画面上のシンボルから直接シンボルに関する信号をトレンドグラフに追加しており、異なる監視画面上のシンボルからシンボルに関する信号を追加表示する際には、上記特許文献１の場合と同様、画面作成ツール等で画面を改造する必要があり、他の監視画面を表示する装置がない場合には画面改造作業中はプラントの監視が行なえず、また改造作業時間並びにコストがかかるという問題点があった。
【０００７】
この発明は上記のような課題を解決するためになされたものであり、状況に応じて他の監視画面において表示されていた必要な監視項目を容易に監視画面に追加表示できるようにすることにより監視効率を向上させるとともに、画面改造作業にともなうコストを削減することができるプラント監視装置を提供することを目的とする。
【課題を解決するための手段】
【０００８】
この発明に係るプラント監視装置は、プラントから収集した計測信号を表示装置で複数の監視画面により表示するようにしたものであって、一の監視画面に表示されている計測信号を選択し、選択した計測信号を表示する他の監視画面を設定する手段と、この手段により選択された計測信号に関する情報と他の監視画面の情報を保存するための記録エリアと、他の監視画面を表示する時に記録エリアに保存された計測信号を他の監視画面に表示させる手段とを設け、計測信号にはそれぞれタグ番号が設定されており、一の上記監視画面に表示されている計測信号のタグ番号の一覧が表示されているタグ選択ウィンドウからタグ番号を選択し、選択したタグ番号により計測信号に関する情報を検索して記録エリアに保存するようにしたものである。
【発明の効果】
【０００９】
この発明に係るプラント監視装置によれば、プラントから収集した計測信号を表示装置で複数の監視画面により表示するようにしたものであって、一の監視画面に表示されている計測信号を選択し、選択した計測信号を表示する他の監視画面を設定する手段と、この手段により選択された計測信号に関する情報と他の監視画面の情報を保存するための記録エリアと、他の監視画面を表示する時に記録エリアに保存された計測信号を他の監視画面に表示させる手段とを設け、計測信号にはそれぞれタグ番号が設定されており、一の監視画面に表示されている計測信号のタグ番号の一覧が表示されているタグ選択ウィンドウからタグ番号を選択し、選択したタグ番号により計測信号に関する情報を検索して記録エリアに保存するようにしたので、監視動作を中断させることなく、一の監視画面において表示していた計測信号を他の監視画面においても表示することができ、監視効率を向上させるとともに、画面改造作業にともなうコストを削減することができ、更には一の監視画面に表示していた計測信号以外の計測信号についても、タグ番号と計測信号名称を確認しながら確実に他の監視画面に表示することができる。
【発明を実施するための最良の形態】
【００１０】
実施の形態１．
以下、この発明の一実施形態を図に基づいて説明する。図１はこの発明の実施の形態１によるプラント監視装置を示すブロック構成図、図２は動作を示すためのフローチャートである。
【００１１】
図において、本発明によるプラント監視装置は、各プラントから収集した機器の運転状態及び水位を示す計測値等からなる信号を表示するための監視画面１Ａ、１Ｂ(尚監視画面１Ａにおいては計測値としてＡ水位が、監視画面１Ｂにおいては計測値としてＢ水位がそれぞれ示されている)、監視画面１Ｂに表示しようとする計測信号の情報(アドレス情報等)を登録するための記録エリア２、マウスカーソル３から構成されている。尚監視画面１Ａは請求項における一の監視画面に該当するとともに、監視画面１Ｂは請求項における他の監視画面に該当する。
【００１２】
又図１において、Ａ水位の計測値として４Ａが示されており、更に記録エリア２はプラント監視装置内におけるハードディスク(ＨＤＤ)に設置されているものである。ここでアドレスとはプラントより収集された計測信号データが格納されているシステムデータエリアにおける場所をいう。又図１においては、同一の表示装置において、画面が画面１Ａから画面１Ｂに切り替わる状態を示している。
【００１３】
次に動作について図２に基づいて説明する。マウスを操作して設定ウィンドウを表示させ、その設定ウィンドウから転送先となる監視画面１Ｂを設定するとともに、更に監視画面１Ｂに表示したい信号である計測信号４Ａをマウスカーソル３により選択する（STEP201）。
【００１４】
監視画面１Ａにおいて選択された計測信号４Ａに関する情報(アドレス等)をプラント監視装置内におけるＨＤＤに設置された監視画面１Ｂ用の記録エリア２に保存する（STEP202）。ここで記録エリア２に保存される情報は計測信号４Ａに関するアドレスを含めた全ての情報であり、上限値及び下限値などを含む情報である。監視画面１Ｂ用の記録エリア２に保存された計測信号４Ａを監視画面１Ｂに表示する際には、監視画面１Ｂ内に設けられた小型ウィンドウによって監視画面１Ｂ内の任意の位置に計測信号４Ａを表示する（STEP203）。
【００１５】
ここで任意の位置とは、画面上に表示する小型ウィンドウの場所を特定しないという意味である。例えばあるシステムでは、画面左上に表示させるとした場合、操作員が位置を新たに設定しない限り画面左上に表示されることとなる。又上記一連の動作は画面の作成及び制御を行うためのプログラムを有する制御部が行うものであり、小型ウィンドウに計測信号を表示させる際には、制御部が記録エリア２に保存されている計測信号の情報を基に、表示させるために必要な様々な情報を抽出して表示させるものである。
【００１６】
以上のように構成することにより、監視動作を中断させることなく、監視画面１Ａにおいて表示していた計測信号を監視画面１Ｂにおいても表示することができ、監視効率を向上させるとともに、画面改造作業にともなうコストを削減することができる。
【００１７】
尚図１においては、監視画面１Ａにおいて表示していた計測信号を監視画面１Ｂにおいて表示するようにしたが、逆に監視画面１Ｂにおいて表示していた計測信号を監視画面１Ａにおいて表示するようにしてもよい。更に図１においては、２つの監視画面１Ａ、１Ｂを切り換える場合について説明したが、３つ以上の複数の監視画面を切り換えるようにしても良い。
【００１８】
実施の形態２．
図３はこの発明の実施の形態２によるプラント監視装置を示すブロック構成図、図４は動作を示すためのフローチャートである。上記実施の形態１においては、監視画面１Ｂの記録エリア２に保存した計測信号４Ａを監視画面１Ｂに表示する際、小型ウィンドウにて任意の位置に表示する場合について述べたが、本実施形態においては、図３に示すように、小型ウィンドウの表示位置を適切な箇所に移動し、その更新位置情報(監視画面１Ｂ上の表示位置)を記録エリア２において更新登録するようにしたものである。
【００１９】
次に動作について図４に基づいて説明する。図４において、STEP401においては、図２のSTEP200〜204で示したものと同様の動作である計測信号の選択、記録エリア２への保存及び監視画面１Ｂにおける小型ウィンドウによる計測信号の表示を行なう。
【００２０】
次に監視画面１Ｂに表示された小型ウィンドウの表示位置を、監視画面１Ｂの適切な箇所にマウスカーソル３を操作することによってドラッグアンドドロップし、計測信号４Ａの表示位置を移動させる（STEP402）。
【００２１】
適切な表示位置に変更した計測信号４Ａの最終表示位置情報を定義して、記録エリア２に小型ウィンドウの更新された表示位置情報を保存する（STEP403）。次回小型ウィンドウを表示する際には更新された位置に小型ウィンドウが表示される。これにより機器運転の状態の表示位置及び計測値の表示位置を自由に変更することが可能となり、より見やすい画面を設定することができる。
【００２２】
実施の形態３．
図５はこの発明の実施の形態３によるプラント監視装置を示すブロック構成図、図６は動作を示すためのフローチャートである。上記実施の形態１においては、監視画面１Ｂに表示したい計測信号を監視画面１Ａにおいてマウスカーソル３により一つ選択する場合について述べたが、本実施形態においては、図５に示すように、監視画面１Ｂに表示したい複数の計測信号４Ａ(Ａ水位)、４Ｂ(Ａ流量)をマウスカーソル３により範囲指定することにより選択し、或いはマウスカーソル３により個別に計測信号を複数選択するようにするものである。
【００２３】
次に動作について図６に基づいて説明する。図６において、監視画面１Ａにて転送先である監視画面１Ｂを設定するとともに、監視画面１Ｂに表示したい複数の計測信号４Ａ、４Ｂをマウスカーソル３により範囲指定して選択し、或いは範囲指定する代わりにマウスカーソル３によって個別に複数の計測信号４Ａ、４Ｂを選択し設定する（STEP601）。
【００２４】
そして制御部は監視画面１Ａにおいて選択された複数の計測信号４Ａ、４Ｂに対応する情報(アドレス等)を求め、監視装置内におけるＨＤＤに設置された監視画面１Ｂ用の記録エリア２に保存する（STEP602）。
【００２５】
監視画面１Ｂ用の記録エリア２に保存された複数の計測信号４Ａ、４Ｂを監視画面１Ｂに表示する際には、監視画面１Ｂ内に設けられた小型ウィンドウによって監視画面１Ｂ内の任意の位置に計測信号４Ａ、４Ｂを表示する（STEP603）。
【００２６】
以上のように構成することにより、監視動作を中断させることなく、監視画面１Ａにおいて表示していた複数の計測信号４Ａ、４Ｂを監視画面１Ｂにおいても表示することが可能となり、監視効率を向上させるとともに、画面改造作業にともなうコストを削減することができる。
【００２７】
実施の形態４．
図７はこの発明の実施の形態４によるプラント監視装置を示すブロック構成図、図８は動作を示すためのフローチャートである。上記実施の形態３においては、監視画面１Ｂ用の記録エリア２に保存した複数の計測信号４Ａ、４Ｂを監視画面１Ｂに表示する際に小型ウィンドウによって任意の位置に表示する場合について述べたが、本実施形態においては、図７に示すように、複数の計測信号４Ａ、４Ｂを表示する小型ウィンドウのコピー表示を行ない、また小型ウィンドウの表示位置を適切な箇所に移動し、その更新位置情報を記録エリア２に更新登録するようにしたものである。
【００２８】
次に動作について図８に基づいて説明する。図８において、STEP801においては、図６のSTEP600〜604で示したものと同様の動作である複数計測信号の指定、記録エリア２への保存、及び監視画面１Ｂにおける小型ウィンドウによる複数計測信号の表示を行なう。
【００２９】
次に監視画面１Ｂに表示された小型ウィンドウに表示されている計測信号４Ａ、４Ｂの全部又は一部を選択し、別の小型ウィンドウでも表示する(コピー表示)ための操作を行い、また小型ウィンドウの表示位置を、監視画面１Ｂの適切な箇所にマウスカーソル３を操作することによって、ドラッグアンドドロップし、計測信号４Ａ、４Ｂの表示位置を異なる位置に移動させる(STEP802)。図７においては、計測信号４Ａ、４Ｂを同時に表示した小型ウィンドウを移動させるとともに、計測信号４Ｂのみを抽出して別の位置にコピー表示した例を示している。
【００３０】
適切な表示位置に変更した複数の計測信号４Ａ、４Ｂの最終表示位置情報を定義して記録エリア２において小型ウィンドウの更新された位置情報を保存する（STEP803）。これにより機器の運転状態、計測値の表示位置を自由に変更することが可能となり、より見やすい画面を設定することができるようになる。
【００３１】
実施の形態５．
図９はこの発明の実施の形態５によるプラント監視装置を示すブロック構成図、図１０は動作を示すためのフローチャートである。上記実施の形態１においては、監視画面１Ｂに表示したい計測信号を監視画面１Ａにおいてマウスカーソル３により選択する場合について述べたが、本実施形態においては、図９に示すように、監視画面１Ａに記録エリア登録要求ボタン１１を設け、この記録エリア登録要求ボタン１１をマウスカーソル３により操作することによりタグ設定用ウィンドウ１２を設けるようにしたものである。
【００３２】
次に動作について図１０に基づいて説明する。図１０において、マウスカーソル３により記録エリア登録要求ボタン１１を押下し、タグ設定用ウィンドウ１２を表示する。各計測信号にはそれぞれタグ番号が設定されており、タグ設定用ウィンドウ１２により、監視画面１Ｂに表示したい計測信号に係るタグ番号を付与する（STEP1001）。ここでタグ番号とは、プラントのデータを収集、保存或いは編集するために各計測信号に割り付けられた番号をいう。
【００３３】
タグ設定用ウィンドウ１２において設定したタグ番号より、制御部は対応する計測信号に関する全ての情報(計測信号の名称、上下限値、データが保存されているアドレス等)を検索し、監視装置内におけるＨＤＤに設置された監視画面１Ｂ用の記録エリア２に保存する（STEP1002）。
【００３４】
監視画面１Ｂ用の記録エリア２に保存された計測信号を監視画面１Ｂに表示する際には、監視画面１Ｂ内に設けられた小型ウィンドウによって任意の位置に計測信号を表示する（STEP1003）。
【００３５】
以上のように構成することにより、監視画面１Ａに表示していた計測信号４Ａと同様、監視画面１Ａに表示していた計測信号４Ａ以外の、特にタグ番号が判明している他の監視画面に表示されていた計測信号についても監視画面１Ｂに表示することができ、監視項目を容易に追加することができるとともに、監視効率を向上させることができる。
【００３６】
実施の形態６．
図１１はこの発明の実施の形態６によるプラント監視装置を示すブロック構成図、図１２は動作を示すためのフローチャートである。上記実施の形態１においては、監視画面１Ｂに表示したい計測信号を監視画面１Ａにおいてマウスカーソル３により選択する場合について述べたが、本実施形態においては、図１１に示すように、監視画面１Ａに記録エリア登録要求ボタン１１を設け、この記録エリア登録要求ボタン１１をマウスカーソル３により操作することによりタグ選択ウィンドウ２１を設けるようにしたものである。
【００３７】
次に動作について図に基づいて説明する。図１１において、先ずマウスカーソル３により記録エリア登録要求ボタン１１を押下し、タグ選択ウィンドウ２１を表示させる。タグ選択ウィンドウ２１は予め作成されているものであり、タグ番号とタグ名称の一覧が表示されている。そしてマウスカーソル３によってスクロール操作を行ない、表示することを要求されている計測信号の検索を行ない、監視画面１Ｂに表示したい計測信号のタグ番号を抽出する（STEP1201）。
【００３８】
制御部はタグ選択ウィンドウ２１にて選択したタグ番号より、対応する計測信号の情報(アドレス等)を求め、監視装置内におけるＨＤＤに設置された監視画面１Ｂ用の記録エリア２にこれらの情報を保存する（STEP1202）。タグ番号と計測信号の情報(アドレス等)の対応関係は予め設定されており、タグ番号が判明すれば、対象となる計測信号の上限値、下限値並びにアドレスなどの全ての情報が判明するので、これらの情報を抽出し、記録エリア２に保存する。
【００３９】
監視画面１Ｂ用の記録エリア２に保存された計測信号を監視画面１Ｂに表示する際には、制御部は監視画面１Ｂ内に設けられた小型ウィンドウによって任意の位置に計測信号を表示する（STEP1203）。
【００４０】
以上のように構成することにより監視画面１Ａに表示していた計測信号４Ａと同様、監視画面１Ａに表示していた計測信号４Ａ以外の計測信号についても、タグ番号と計測信号名称を確認しながら確実に監視画面１Ｂに表示することができ、監視効率を向上させることができる。
【図面の簡単な説明】
【００４１】
【図１】この発明の実施の形態１を示す監視装置の画面構成図である。
【図２】この発明の実施の形態１を示す監視装置のフローチャート図である。
【図３】この発明の実施の形態２を示す監視装置の画面構成図である。
【図４】この発明の実施の形態２を示す監視装置のフローチャート図である。
【図５】この発明の実施の形態３を示す監視装置の画面構成図である。
【図６】この発明の実施の形態３を示す監視装置のフローチャート図である。
【図７】この発明の実施の形態４を示す監視装置の画面構成図である。
【図８】この発明の実施の形態４を示す監視装置のフローチャート図である。
【図９】この発明の実施の形態５を示す監視装置の画面構成図である。
【図１０】この発明の実施の形態５を示す監視装置のフローチャート図である。
【図１１】この発明の実施の形態６を示す監視装置の画面構成図である。
【図１２】この発明の実施の形態６を示す監視装置のフローチャート図である。
【符号の説明】
【００４２】
１Ａ，１Ｂ  監視画面、２  記録エリア、３  マウスカーソル、
４Ａ，４Ｂ  計測信号、１２  タグ設定用ウィンドウ、２１  タグ選択ウィンドウ。
【図１】
0004875646.tif 000002
【図２】
0004875646.tif 000003
【図３】
0004875646.tif 000004
【図４】
0004875646.tif 000005
【図５】
0004875646.tif 000006
【図６】
0004875646.tif 000007
【図７】
0004875646.tif 000008
【図８】
0004875646.tif 000009
【図９】
0004875646.tif 000010
【図１０】
0004875646.tif 000011
【図１１】
0004875646.tif 000012
【図１２】
0004875646.tif 000013